【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
グルーミング器具であって、
前方方向へ向けて湾曲した細長いハンドルと、
皮膚と直接接触するように配置され湿式レザーとして使用されるようになっている１又はそれ以上の細長いレザー刃を内部にはめ込み、前記ハンドルに取り付けられて一般的に前記前方方向に面しているレザー刃カートリッジと、
少なくとも１枚の可動刃を有する、前記ハンドルに取り付けられて一般的に前記前方方向に面しているトリマーと、
前記可動刃に動作連結されて前記可動刃を駆動するモータと、
を備える、ことを特徴とする器具。
【請求項２】
前記レザー刃カートリッジは、前記ハンドルの端部又はその近傍に配置される、
ことを特徴とする請求項１に記載の器具。
【請求項３】
前記トリマーは、前記ハンドルの端部又はその近傍に配置される、
ことを特徴とする請求項１に記載の器具。
【請求項４】
前記ハンドルは、第１端部及び第２端部を有し、前記レザー刃カートリッジ及び前記トリマーは、前記ハンドルの前記第１端部又はその近傍に配置される、
ことを特徴とする請求項１に記載の器具。
【請求項５】
前記可動刃は、前記レザー刃の長手にほぼ並行な方向に移動し、前記レザー刃カートリッジは、前記方向に並行な軸線を中心にして回動する、
ことを特徴とする請求項１に記載の器具。
【請求項６】
前記モータ及び前記可動刃に連結された動力伝達機構をさらに備え、該動力伝達機構は、前記モータからの回転移動を前記可動刃の往復運動に変換する、
ことを特徴とする請求項１に記載の器具。
【請求項７】
関連の電源を収容するようになっている前記ハンドル内の電源室と、該電源室内に取り付けられており、該電源室内に設置された前記関連の電源と前記モータとの間の送電路の少なくとも一部分を提供するように機能する少なくとも１つの電源コネクタと、をさらに備える、
ことを特徴とする請求項１に記載の器具。
【請求項８】
前記トリマーは、前記ハンドルに取り付けられて前記可動刃から間隔をおいたガードを有する、
ことを特徴とする請求項１に記載の器具。
【請求項９】
前記モータから延出する出力軸と、該出力軸に連結された偏心おもりと、をさらに備え、前記偏心おもりの移動により前記ハンドルの振動を生じる、
ことを特徴とする請求項１に記載の器具。
【請求項１０】
グルーミング器具であって、
前方方向へ向けて湾曲した細長いハンドルと、
皮膚と直接接触するように配置され湿式レザーとして使用されるようになっている１又はそれ以上の細長いレザー刃を内部にはめ込み、前記ハンドルに取り付けられて一般的に前記前方方向に面しているレザー刃カートリッジと、
前記レザー刃の長手にほぼ並行な方向に移動する少なくとも１枚の可動刃を有する、前記ハンドルに取り付けられて一般的に前記前方方向に面しているトリマーと、
前記可動刃に動作連結されて前記可動刃を駆動するモータと、
前記モータからの回転移動を前記可動刃の往復運動に変換する、前記モータ及び前記可動刃に連結された動力伝達機構と、
関連の電源を収容するようになっている前記ハンドル内の電源室と、
前記電源室内に取り付けられており、該電源室内に設置された前記関連の電源と前記モータとの間の送電路の少なくとも一部分を提供するように機能する少なくとも１つの電源コネクタと、
を備える、ことを特徴とする器具。
【請求項１１】
前記レザー刃カートリッジは、前記ハンドルの一端又はその近傍に配置される、
ことを特徴とする請求項１０に記載の器具。
【請求項１２】
前記トリマーは、前記ハンドルの一端又はその近傍に配置される、
ことを特徴とする請求項１０に記載の器具。
【請求項１３】
前記ハンドルは、第１端部及び第２端部を有し、前記レザー刃カートリッジは、前記ハンドルの前記第１端部又はその近傍に配置される、
ことを特徴とする請求項１２に記載の器具。
【請求項１４】
前記トリマーは、前記ハンドルの前記第１端部又はその近傍に配置される、
ことを特徴とする請求項１３に記載の器具。
【請求項１５】
前記レザー刃カートリッジは、該カートリッジの長手に並行な軸線を中心にして回動する、
ことを特徴とする請求項１０に記載の器具。
【請求項１６】
前記トリマーは、前記ハンドルに取り付けられて前記可動刃から間隔をおいたガードを有する、
ことを特徴とする請求項１０に記載の器具。
【請求項１７】
前記モータから延出する出力軸と、該出力軸に連結された偏心おもりと、をさらに備え、前記出力軸の移動により前記ハンドルの振動を生じる、
ことを特徴とする請求項１０に記載の器具。
【請求項１８】
前記レザー刃カートリッジは、前記ハンドルに対して選択的に着脱される、
ことを特徴とする請求項１０に記載の器具。
【請求項１９】
前記ハンドルに取り付けられて、該ハンドルの前記第１端部又はその近傍で回動するカートリッジマウントをさらに備える、
ことを特徴とする請求項１０に記載の器具。
【請求項２０】
前記レザー刃カートリッジは、前記カートリッジマウントに対して選択的に着脱される、
ことを特徴とする請求項１９に記載の器具。
【請求項２１】
グルーミング器具であって、
長手及び前側を有する細長いハンドルと、
一般的に前記ハンドルの前記前側と同じ方向に面し、皮膚と直接接触するように配置された１又はそれ以上の細長いレザー刃を内部にはめ込み、前記ハンドルの第１端部又はその近傍でレザーマウントにはめ込まれ、前記ハンドルとともに湿式レザーとして使用されるようになっているレザー刃カートリッジと、
前記ハンドルの前記第１端部又はその近傍に配置され、前記前側の方に面しており前記レザー刃の長手にほぼ並行な長手を有する少なくとも１枚の細長い可動刃を備えたトリマーと、
前記少なくとも１枚の可動刃に動作連結されて該少なくとも１枚の可動刃を駆動するとともに前記ハンドル及び前記レザー刃カートリッジに振動運動を与える出力軸を有するモータと、
前記モータ出力軸を前記トリマーに連続的に連結し、前記モータ出力軸の回転移動を前記少なくとも１枚の可動刃の長手にほぼ並行な方向である前記少なくとも１枚の可動刃の前記往復横方向移動に変換する動力伝達機構アセンブリと、
を備え、前記トリマーは、前記レザー刃カートリッジに対して前記ハンドルの前記長手にほぼ沿った方向に摺動可能である、
ことを特徴とするグルーミング器具。
【請求項２２】
前記動力伝達機構アセンブリは、ピンを中心にして回動するアームを有する、
ことを特徴とする請求項２１に記載のグルーミング器具。
【請求項２３】
前記トリマーは、前記レザー刃カートリッジ及び前記ハンドルに対して第１所定位置から第２所定位置へ摺動可能である、
ことを特徴とする請求項２１に記載のグルーミング器具。
【請求項２４】
前記ハンドルは、該ハンドルの前記前側に向かう湾曲部を有する、
ことを特徴とする請求項２１に記載のグルーミング器具。
【請求項２５】
グルーミング器具であって、
第１端部と前記グルーミング器具の前方方向に面している前側とを有する細長いハンドルと、
１又はそれ以上の細長いレザー刃を内部にはめ込み、前記細長いハンドルの前記第１端部の近傍に配置されたレザーマウントにはめ込まれ、皮膚と直接接触するように一般的に前記前方方向に面しているレザー刃カートリッジと、
前記細長いハンドルの前記第１端部の近傍に配置され、一般的に前記前方方向に面しており前記１又はそれ以上の細長いレザー刃の長手にほぼ並行な長手を有する少なくとも１枚の細長い可動刃を備えたトリマーと、
前記少なくとも１枚の可動刃に動作連結されて該少なくとも１枚の可動刃を駆動するとともに前記ハンドル及び前記レザー刃カートリッジに振動運動を与える出力軸を有する、前記細長いハンドル内に配置されたモータと、
前記モータの前記出力軸を前記トリマーの前記少なくとも１枚の可動刃に連続的に連結し、前記出力軸の回転移動を前記少なくとも１枚の可動刃の前記長手にほぼ並行な方向である前記少なくとも１枚の可動刃の前記往復横方向移動に変換する動力伝達機構アセンブリと、
を備え、前記グルーミング器具を第１動作位置及び第２動作位置に設定できるように、前記トリマーと前記レザー刃カートリッジとの相対位置を摺動構成を介して選択的に調整することができ、（ｉ）前記第１動作位置では、前記モータが前記少なくとも１枚の可動刃の前記往復横方向移動を与えているときに前記トリマーを使用できるように、前記トリマーが前記レザー刃カートリッジを超えて延出し、（ｉｉ）前記第２動作位置では、前記モータが前記ハンドル及び前記レザー刃カートリッジに振動運動を与えている間に前記１又はそれ以上の細長いレザー刃を使用できるように、前記レザー刃カートリッジが前記トリマーを超えて延出する、
ことを特徴とするグルーミング器具。
【請求項２６】
前記動力伝達機構アセンブリは、偏心突起を有するカムとアームとを有し、前記カムは前記出力軸に連結され、前記偏心突起は前記アームに連結されて前記少なくとも１枚の可動刃に前記往復横方向移動を与える、
ことを特徴とする請求項２５に記載のグルーミング器具。
【請求項２７】
前記偏心突起の前記回転移動は、前記ハンドル及び前記レザー刃カートリッジに前記振動運動を与える、
ことを特徴とする請求項２６に記載のグルーミング器具。
【請求項２８】
前記細長いハンドルは、該細長いハンドルの前記前側の方に湾曲する、
ことを特徴とする請求項２５に記載のグルーミング器具。
【請求項２９】
前記細長いハンドルは、該細長いハンドルの長手にほぼ沿って前記摺動構成を提供するリセスを有する、
ことを特徴とする請求項２８に記載のグルーミング器具。
【請求項３０】
前記リセス内を摺動部材が移動し、該摺動部材は、前記グルーミング器具の操作者の親指又は指を受け入れるための湾曲面を有する、
ことを特徴とする請求項２９に記載のグルーミング器具。
【請求項３１】
前記トリマーは、前記リセス内を摺動する前記摺動部材に連結される、
ことを特徴とする請求項３０に記載のグルーミング器具。
【請求項３２】
前記レザー刃カートリッジは、前記ハンドルの前記第１端部に対して固定され、前記トリマーは、前記ハンドルの前記第１端部に対して摺動する、
ことを特徴とする請求項２５に記載のグルーミング器具。
【請求項３３】
前記モータの前記出力軸によって回転される軸外れおもりをさらに有し、該軸外れおもりは、前記ハンドル及び前記レザー刃カートリッジに前記振動運動を与える、
ことを特徴とする請求項２５に記載のグルーミング器具。
【請求項３４】
前記軸外れおもりは、前記モータの前記出力軸上に直接配置される、
ことを特徴とする請求項３３に記載のグルーミング器具。
【請求項３５】
前記ハンドルは、複数のハンドル構成部品から形成され、前記グルーミング器具は、該グルーミング器具が水にさらされている間に前記ハンドルの内部に水が入り込むのを防ぐためのガスケットをさらに有する、
ことを特徴とする請求項２５に記載のグルーミング器具。